【事件の表示】
　特願２０１６−　２４４１５号「遊技機」拒絶査定不服審判事件〔平成２８年　７月１４日出願公開、特開２０１６−１２７９６１号〕について、次のとおり審決する。
【結　論】
　本件審判の請求は、成り立たない。
【理　由】
１　手続の経緯 
　本願は、平成２４年２月１６日に出願した特願２０１２−３１４７４号の一部を平成２８年２月１２日に新たな特許出願としたものであって、平成２９年３月１７日付けで拒絶査定がなされ（発送日：同年３月２８日）、それに対し、同年６月１６日に拒絶査定不服審判の請求がなされると同時に手続補正がなされたが、当審において同年１２月２８日付けで拒絶理由通知がなされ、これに対して、平成３０年２月２６日付けで手続補正がなされるとともに同日付けで意見書の提出がなされたものである。 
　
２　本願の請求項１に係る発明 
　平成３０年２月２６日付けの手続補正は、特許請求の範囲を補正する内容を含んでおり、当該補正後の特許請求の範囲の請求項１に係る発明は、次のとおりのものである（以下、「本願発明」という。Ａ〜Ｆは本願発明を分説するため当審で付した。）。
　
（本願発明）
「【請求項１】
Ａ　遊技を統括的に制御する遊技制御基板と、
Ｂ　前記遊技にかかる演出の制御を行う演出制御基板と、を備えた遊技機において、
Ｃ　前記演出制御基板は、
Ｃ１　複数のコネクタと、
Ｃ２　前記演出の制御に関する情報を当該遊技機外部の検査装置に出力する際に該検査装置と接続するための検査用コネクタを実装可能な実装領域と、を有し、
Ｃ３　透光性を有する所定のボックス部材に収納された状態で当該遊技機に取り付けられ、
Ｄ　前記複数のコネクタは、
Ｄ１　前記演出制御基板と、当該遊技機内部の他の基板と、を接続するためのコネクタで構成されるとともに、
Ｄ２　前記演出制御基板が当該遊技機に取り付けられた状態において、該演出制御基板の視認可能な面に列を形成するように配設され、
Ｅ　前記実装領域は、
Ｅ１　前記演出制御基板の端部に位置するとともに、前記演出制御基板が当該遊技機に取り付けられた状態において、該演出制御基板の視認可能な面のうちの前記列には含まれない箇所に位置しており、
Ｅ２　前記ボックス部材において、前記実装領域に対応する領域には開口部を設けないようにした
Ｆ　ことを特徴とする遊技機。」
　
３　当審の平成２９年１２月２８日付け拒絶理由の概要
　当審の平成２９年１２月２８日付け拒絶理由の概要は、本願の請求項１に係る発明は、本願の遡及日前に頒布された刊行物である、特開２００９−２６８７０４号公報（以下、「引用文献１」という。）に記載された発明および同じく本願の遡及日前に頒布された刊行物である特開２００７−２９２６３号公報（以下、「引用文献２」という。）に記載の技術、又は引用文献１に記載された発明および周知の技術に基づいて当業者が容易に想到し得たものであるから、特許法第２９条第２項の規定により特許を受けることができないというものである。 
　
４　刊行物に記載された事項  
（１）引用文献１
　当審の拒絶の理由で引用された引用文献１には、次の事項が記載されている（下線は当審で付した。）。  
　
ア　「【請求項１】
　第１演算処理装置と、当該
第１演算処理装置と通信可能な第２演算処理装置を搭載した演出制御基板を有する演出制御装置を備える
　前記演出制御基板上の前記第１演算処理装置と前記第２演算処理装置の間に、これら第１及び第２演算処理装置間の通信データを外部へ出力可能で、且つ、前記第１及び第２演算処理装置に所定のデータを入力可能な検査用接続領域が形成され、
　
前記検査用接続領域は、
検査時にはコネクタを接続可能に構成されている
遊技機。
　
イ　「【００４７】
　図２は、遊技盤１を示す裏面図である。
　図２に示すように、
遊技盤１の裏面側には、遊技盤裏面構成部材１１が設けられ、この遊技盤裏面構成部材１１の略中央に、演出制御装置４０（詳細後述）が取付けられている。
　
演出制御装置４０は、
通信ケーブルＣを介して接続された遊技制御装置３０
　遊技制御装置３０の向かって右側には、外部情報端子６１を有する盤用外部出力部６０が設けられている。
【００４８】
　図３は、遊技機１００の制御系の一部を示すブロック図である。
　図３に示すように、
遊技機１００は、その制御系として遊技の進行を制御するメイン制御装置としての遊技制御装置３０、この遊技制御装置３０の制御下で各種の演出に関する制御を行うサブ制御装置としての演出制御装置４０とを備え
　
ウ　「【００５６】
　演出制御装置４０は、主として、遊技制御装置３０から送信された演出コマンドを受信して、当該演出コマンドの振り分け、
スピーカ１６０からの効果音の出力制御、装飾ランプ・ＬＥＤ１６１の発光制御、可動部材用ＳＯＬ１４ａや回転部材用モータ１５ａの駆動制御等を行う第１演算処理装置４１と、第１演算処理装置４１から送信された表示制御に関する演出コマンドを受信して液晶表示装置５０を制御する第２演算処理装置４２を備え
　また、第１演算処理装置４１及び第２演算処理装置４２は、一枚の演出制御基板４３に搭載され、この
演出制御基板４３が透明な収納部材４４に収納され
　
エ　「【００６３】
　
検査用接続領域４３ａは、演出制御基板４３の回路パターンの第１演算処理装置４１の第１ＣＰＵ４１ａと第２演算処理装置４２の第２ＣＰＵ４２ａの間に設けられている。
検査用接続領域４３ａに第１及び第２演算処理装置４１、４２間の通信データを外部へ出力可能で、且つ、第１及び第２演算処理装置４１、４２に所定のデータを入力可能なコネクタ４５を接続可能に構成されている。
【００６４】
　一方、
遊技機１００の量産時には、コネクタ４５に替えて抵抗４６が接続されるようになっており、
【００６５】
　
収納部材４４は、
演出制御装置４０の背面視にて手前側の面を構成する第１蓋部材４４１と、奥側の面を構成する第２蓋部材４４２とを備えている。
【００６６】
　また、第１蓋部材４４１は、演出制御基板４３に搭載された第１演算処理装置４１の第１ＣＰＵ４１ａ、第２演算処理装置４２の第２ＣＰＵ４２ａ、検査用接続領域４３ａが配設された一面に対向するように配設され、第２蓋部材４４２は、演出制御基板４３の第１ＣＰＵ４１ａ、第２ＣＰＵ４２ａ、検査用接続領域４３ａが配設された一面と反対側の面に対向するように配設されている。
　さらに、
第１蓋部材４４１は及び第２蓋部材４４２は、それぞれ演出制御基板４３に向かって開口するように凹型に形成され、開口部を構成する先端縁部どうしを接合させるようにして演出制御基板４３をその内部に収納している。
【００６７】
　
また、第１蓋部材４４１の検査用接続領域４３ａに対応する所定部位には、当該第１蓋部材４４１の表面から遊技機１００の量産時にて検査用接続領域４３ａに接続される抵抗４６近傍まで凹んだ抵抗対向凹部４４ａが形成されている。
　
オ　「【０１０７】
　次に、第１演算処理装置４１と第２演算処理装置４２間でのデータ通信テストでコネクタ４５を介して外部試験装置（図示略）から送信されるテスト表示パケットｐ１０について、図２１〜図３５を参照して説明する。
　図２１は、テスト表示パケットｐ１０の一覧を示す図である。また、図２２及び図２３は、テスト表示パケットｐ１０の一例を説明するための図である。」
　
カ　「【０１９０】
　以上のように、本実施形態の遊技機１００は、第１演算処理装置４１と、当該第１演算処理装置４１と通信可能な第２演算処理装置４２を搭載した演出制御基板４３を有する演出制御装置４０を備える遊技機１００において、演出制御基板４３上の第１演算処理装置４１と第２演算処理装置４２の間に、これら第１及び第２演算処理装置４１、４２間の通信データを外部へ出力可能で、且つ、第１及び第２演算処理装置４１、４２に所定のデータを入力可能な検査用接続領域４３ａが形成され、
検査用接続領域４３ａは、
検査時にはコネクタ４５を接続可能に構成され
・・・
【０１９２】
　また、
演出制御装置４０は、演出制御基板４３が透明な収納部材４４に収納されてなり
収納部材４４の検査用接続領域４３ａに対応する所定部位には
抵抗対向凹部４４ａが形成され
【０１９３】
　従って、収納部材４４の検査用接続領域４３ａに対応する部分に設けられている抵抗対向凹部４４ａによって、量産時に空き領域となる検査用接続領域４３ａに不正な電機部品等が取り付けられることを防止することができる。
・・・
【０１９７】
・・・
　また、抵抗対向凹部４４を収納部材４４の第１蓋部材４４１の所定部位に設けるようにしたが、これに限られるものではなく、収納部材４４の検査用接続領域４３ａに対応する部位、即ち、
検査用接続領域４３ａに接続された抵抗４６と対向する部分であれば如何なる位置であっても良い
　
キ　演出制御装置４０の平面を模式的に示す図である図５（ａ）、および図５（ａ）におけるI−I線における断面を模式的に示す図である図５（ｂ）（【００５５】参照）より、第１蓋部材４４１の検査用接続領域４３ａに対応する所定部位には、開口部を設けないことが把握できるとともに、同図５（ｂ）より、抵抗４６が、演出制御基板４４の第１蓋部材４４１側の面に設けられたことが把握できる。
　
ク　演出制御装置４０の平面を模式的に示す図である図５（ａ）、および図５（ａ）におけるI−I線における断面を模式的に示す図である図５（ｂ）（【００５５】参照）より、演出制御基板４３の表面のうち第１蓋部材４４１側に、第１演出処理装置４１および第２演出処理装置４２が実装されていることが把握できる。
　
　ここで、上記ア〜クから、以下の事項が導かれる。
　
ケ　上記エの【００６３】の
「検査用接続領域４３ａは、演出制御基板４３の回路パターンの第１演算処理装置４１の第１ＣＰＵ４１ａと第２演算処理装置４２の第２ＣＰＵ４２ａの間に設けられている。・・・検査用接続領域４３ａに第１及び第２演算処理装置４１、４２間の通信データを外部へ出力可能で、且つ、第１及び第２演算処理装置４１、４２に所定のデータを入力可能なコネクタ４５を接続可能に構成されている。」
との記載と、上記アの【請求項１】の
「前記検査用接続領域は、・・・検査時にはコネクタを接続可能に構成されている」
との記載より、
「演出制御基板４３は、
　演出制御基板４３の回路パターンの第１演算処理装置４１の第１ＣＰＵ４１ａと第２演算処理装置４２の第２ＣＰＵ４２ａの間に設けられ、第１及び第２演算処理装置４１、４２間の通信データを外部へ出力可能で、且つ、第１及び第２演算処理装置４１、４２に所定のデータを入力可能なコネクタ４５を、検査時に接続可能に構成された、検査用接続領域４３ａが設けられ、」
との事項が導かれる。
　
コ　上記ウの【００５６】の
「演出制御基板４３が透明な収納部材４４に収納され」
との記載と、上記エの【００６５】の
「収納部材４４は、・・・演出制御装置４０の背面視にて手前側の面を構成する第１蓋部材４４１と、奥側の面を構成する第２蓋部材４４２とを備えている。」
との記載と、同エの【００６６】の
「第１蓋部材４４１は及び第２蓋部材４４２は、それぞれ演出制御基板４３に向かって開口するように凹型に形成され、開口部を構成する先端縁部どうしを接合させるようにして演出制御基板４３をその内部に収納している。」
との記載と、上記イの【００４７】の
「遊技盤１の裏面側には、遊技盤裏面構成部材１１が設けられ、この遊技盤裏面構成部材１１の略中央に、演出制御装置４０（詳細後述）が取付けられている。」
との記載と、上記カの【０１９２】の
「演出制御装置４０は、演出制御基板４３が透明な収納部材４４に収納されてなり」
との記載から、
「演出制御基板４３は透明な収納部材４４に収納され、【００５６】
　収納部材４４は、演出制御装置４０の背面視にて手前側の面を構成する第１蓋部材４４１と、奥側の面を構成する第２蓋部材４４２とを備え、【００６５】
　第１蓋部材４４１は及び第２蓋部材４４２は、それぞれ演出制御基板４３に向かって開口するように凹型に形成され、開口部を構成する先端縁部どうしを接合させるようにして演出制御基板４３をその内部に収納し、【００６６】
　遊技盤１の裏面側には、遊技盤裏面構成部材１１が設けられ、演出制御基板４３が透明な収納部材４４に収納されてなる演出制御装置４０がこの遊技盤裏面構成部材１１の略中央に取付けられ、【００４７】【０１９２】」
との事項が導かれる。
　
サ　上記カの【０１９０】の
「検査用接続領域４３ａは、・・・検査時にはコネクタ４５を接続可能に構成され」
との記載と、上記エの【００６４】の
「遊技機１００の量産時には、コネクタ４５に替えて抵抗４６が接続されるようになっており、」
との記載から、検査用接続領域４３ａは、抵抗４６と同じ位置であるということができる。
　それに加え、上記キの図５（ｂ）の
「抵抗４６が、演出制御基板４４の第１蓋部材４４１側の面に設けられたこと」
と、上記エの【００６５】の
「収納部材４４は、・・・演出制御装置４０の背面視にて手前側の面を構成する第１蓋部材４４１と、」
との事項から、
「検査用接続領域４３ａは、演出制御基板４４の背面視にて手前側の面を構成する第１蓋部材４４１側の面に設けられ、」
との事項が導かれ、さらに、上記エの【００６３】の
「検査用接続領域４３ａは、演出制御基板４３の回路パターンの第１演算処理装置４１の第１ＣＰＵ４１ａと第２演算処理装置４２の第２ＣＰＵ４２ａの間に設けられ」
との記載より、
「検査用接続領域４３ａは、演出制御基板４３の背面視にて手前側の面を構成する第１蓋部材４４１側の面に設けられ、【０１９０】【００６４】【００６５】、図５（ｂ）
　検査用接続領域４３ａは、演出制御基板４３の回路パターンの第１演算処理装置４１の第１ＣＰＵ４１ａと第２演算処理装置４２の第２ＣＰＵ４２ａの間に設けられ、【００６３】」
との事項が導かれる。
　
シ　上記上記エの【００６５】の
「収納部材４４は、・・・演出制御装置４０の背面視にて手前側の面を構成する第１蓋部材４４１と、・・・とを備えている。」との記載と、上記クの、演出制御基板４３の表面のうち第１蓋部材４４１側に、第１演出処理装置４１および第２演出処理装置４２が実装されていることより、
「演出制御基板４３の背面視にて手前側の面側に、演出処理装置４１および第２演出処理装置４２が実装され」
との事項が導かれる。
　
　そして、上記記載事項ア〜カ、図面に記載された事項キ〜ク、及びア〜クに基づく認定事項ケ〜シを総合すると、引用文献１には、次の発明（以下、「引用発明」という。）が記載されていると認められる（ａ〜ｆは、本願発明のＡ〜Ｆに対応させて当審にて付与した。）。
　
（引用発明）
「ａ　遊技の進行を制御するメイン制御装置としての遊技制御装置３０を備え（【００４８】）、
　
ｂ　スピーカ１６０からの効果音の出力制御、装飾ランプ・ＬＥＤ１６１の発光制御、可動部材用ＳＯＬ１４ａや回転部材用モータ１５ａの駆動制御等を行う第１演算処理装置４１と、第１演算処理装置４１から送信された表示制御に関する演出コマンドを受信して液晶表示装置５０を制御する第２演算処理装置４２を備え（【００５６】）、
　第１演算処理装置４１と、第２演算処理装置４２を搭載した演出制御基板４３を有する演出制御装置を備える遊技機において（【請求項１】）、
　
ｃ　演出制御基板４３は、
　
ｃ２　演出制御基板４３の回路パターンの第１演算処理装置４１の第１ＣＰＵ４１ａと第２演算処理装置４２の第２ＣＰＵ４２ａの間に設けられ、第１及び第２演算処理装置４１、４２間の通信データを外部へ出力可能で、且つ、第１及び第２演算処理装置４１、４２に所定のデータを入力可能なコネクタ４５を、検査時に接続可能に構成された、検査用接続領域４３ａが設けられ（【００６３】）、
　
ｃ３　演出制御基板４３は透明な収納部材４４に収納され（【００５６】）、
　収納部材４４は、演出制御装置４０の背面視にて手前側の面を構成する第１蓋部材４４１と、奥側の面を構成する第２蓋部材４４２とを備え（【００６５】）、
　第１蓋部材４４１は及び第２蓋部材４４２は、それぞれ演出制御基板４３に向かって開口するように凹型に形成され、開口部を構成する先端縁部どうしを接合させるようにして演出制御基板４３をその内部に収納し（【００６６】）、
　遊技盤１の裏面側には、遊技盤裏面構成部材１１が設けられ、演出制御基板４３が透明な収納部材４４に収納されてなる演出制御装置４０がこの遊技盤裏面構成部材１１の略中央に取付けられ（【００４７】、【０１９２】）、
　
ｄ１　演出制御装置４０は、通信ケーブルＣを介して遊技制御装置３０が接続され（【００４７】）、
　
ｄ２　演出制御基板４３の背面視にて手前側の面側に、第１演出処理装置４１および第２演出処理装置４２が実装され（【００６５】、図５（ａ）（ｂ））、
　
ｅ　検査用接続領域４３ａは、
ｅ１　演出制御基板４４の背面視にて手前側の面を構成する第１蓋部材４４１側の面に設けられ（【０１９０】【００６４】【００６５】、図５（ａ）（ｂ））、
　検査用接続領域４３ａは、演出制御基板４３の回路パターンの第１演算処理装置４１の第１ＣＰＵ４１ａと第２演算処理装置４２の第２ＣＰＵ４２ａの間に設けられ（【００６３】）、
　収納部材４４には、抵抗対向凹部４４ａが形成され（【０１９２】）、抵抗対向凹部４４は、検査用接続領域４３ａに接続された抵抗４６と対向する部分であれば如何なる位置であっても良く（【０１９７】）、
　
ｅ２　また、第１蓋部材４４１の検査用接続領域４３ａに対応する所定部位には、開口部を設けず（図５（ａ）（ｂ））、当該第１蓋部材４４１の表面から遊技機１００の量産時にて検査用接続領域４３ａに接続される抵抗４６近傍まで凹んだ抵抗対向凹部４４ａが形成されている（【００６７】）、
　
ｆ　遊技機（【請求項１】、【００４８】）。」
　
（２）引用文献２
　同じく当審の拒絶の理由で引用された刊行物である引用文献２には、以下の事項が記載されている（下線は当審で付した。）。
　
ア　「【請求項１】
・・・
　前記入賞検出手段からの入賞検出信号が入力され、
遊技の進行を制御する遊技制御処理を実行
する遊技制御用マイクロコンピュータが搭載された遊技制御基板と、
・・・
　前記遊技制御用マイクロコンピュータによって送信された演出制御コマンドに応じて前記
演出用の電気部品を制御する演出制御用マイクロコンピュータが搭載された演出制御基板と、
とを備え、
　ことを特徴とする
遊技機。
　
イ　「【００３０】
　以下、図面を参照しつつ、本発明の一実施形態を詳細に説明する。図１は、本実施例における
パチンコ遊技機１
　
ウ　「【００５０】
　
パチンコ遊技機１には、
電源基板１０、
音声制御基板１３、ランプ制御基板１４、
が搭載されている。また、パチンコ遊技機１には、
中継基板１８なども搭載されている。
　
エ　「【００６６】
　演出制御基板１２は、主基板１１とは独立したサブ側の制御基板であり、中継基板１８を介して主基板１１から送信された制御コマンドを受信して、画像表示装置５、スピーカ８Ｌ、８Ｒ及び遊技効果ランプ９といった演出用の電気部品を制御するための各種回路が搭載されている。すなわち、演出制御基板１２は、画像表示装置５における表示動作や、スピーカ８Ｌ、８Ｒからの音声出力動作、遊技効果ランプ９におけるランプの点灯動作及び消灯動作などを制御する機能を備えている。
演出制御基板１２には、音声制御基板１３やランプ制御基板１４に制御信号を伝送する配線
などが接続されている。
　
オ　「【０１１３】
　
演出制御基板１２は、
ボックス状主体１９０とカバー体２１０とを備えて構成される演出制御基板ボックスに収容される。
カバー体２１０は、ボックス状主体１９０に被覆支持される演出制御基板１２の電子部品実装領域（表面）を少なくとも被覆する蓋体となる。例えば、ボックス状主体１９０とカバー体２１０は、全て内部が視認し得る非導電性の透明合成樹脂で形成されていればよい。
・・・
【０１１７】
　カバー体２１０は、例えばボックス状に形成され、放熱穴２１４が形成された基板被覆面や壁面２１１などを備えている。ここで、壁面２１１の端部には、開口としてのコネクタ貫通穴２１３が複数形成されたパターン被覆板２１２が外側に向かって突設されている。
コネクタ貫通穴２１３は、演出制御基板１２に実装されるコネクタ１２ａ〜１２ｉのみが貫通する
　
カ　図３には、
　演出制御基板１２が、音声制御基板１３、ランプ制御基板１４、電源基板１０、中継基板１８とそれぞれ接続された態様が把握できる。
　
キ　図１８には、
　複数のコネクタ１２ａ〜１２ｉが、演出制御基板１２のカバー体２１０側の面に実装され、
　複数のコネクタ１２ａ〜１２ｄが演出制御基板１２の一方の端部に列をなすように配置され、
　複数のコネクタ１２ｅ〜１２ｉが演出制御基板１２の他方の端部に列をなすように配置された態様が把握できる。
　
ク　上記オの【０１１７】の
「コネクタ貫通穴２１３は、演出制御基板１２に実装されるコネクタ１２ａ〜１２ｉのみが貫通する。」
との記載より、
「演出制御基板１２は、複数のコネクタ１２ａ〜１２ｉが実装され、」
との事項が導かれる。
　
ケ　上記オの【０１１３】の
「演出制御基板１２は、・・・ボックス状主体１９０とカバー体２１０とを備えて構成される演出制御基板ボックスに収容される。・・・例えば、ボックス状主体１９０とカバー体２１０は、全て内部が視認し得る非導電性の透明合成樹脂で形成されていればよい。」
との記載より、
「演出制御基板１２は、全て内部が視認し得る非導電性の透明合成樹脂で形成されているボックス状主体１９０とカバー体２１０とを備えて構成される演出制御基板ボックスに収容され、」
との事項が導かれる。
　
コ　上記ウの【００５０】の
「パチンコ遊技機１には、・・・電源基板１０、・・・音声制御基板１３、ランプ制御基板１４、・・・が搭載されている。また、パチンコ遊技機１には、・・・中継基板１８なども搭載されている。」
との記載と、上記エの【００６６】の
「演出制御基板１２には、音声制御基板１３やランプ制御基板１４に制御信号を伝送する配線・・・などが接続されている。」
との記載、さらに、上記上記カの図３にみられる、演出制御基板１２が、音声制御基板１３、ランプ制御基板１４、電源基板１０、中継基板１８とそれぞれ接続された態様から、
「パチンコ遊技機１には、電源基板１０、音声制御基板１３、ランプ制御基板１４、中継基板１８が搭載され（【００５０】）、
　演出制御基板１２には、音声制御基板１３やランプ制御基板１４に制御信号を伝送する配線が接続され（【００６０】）、
　電源基板１０、中継基板１８、とも接続され（図３）、」
との事項が導かれる。
　
サ　上記オの【０１１３】の
「カバー体２１０は、ボックス状主体１９０に被覆支持される演出制御基板１２の電子部品実装領域（表面）を少なくとも被覆する蓋体となる。」
との記載と、上記キの図１８における、複数のコネクタ１２ａ〜１２ｉが、演出制御基板１２のカバー体２１０側の面に実装された態様より、
「複数のコネクタ１２ａ〜１２ｉは、演出制御基板１２の電子部品実装領域（表面）側の面に実装され、」
との事項が導かれる。
　さらに、上記キの図１８における
　複数のコネクタ１２ａ〜１２ｄが演出制御基板１２の一方の端部に列をなすように配置され、
　複数のコネクタ１２ｅ〜１２ｉが演出制御基板１２の他方の端部に列をなすように配置された態様から、
「複数のコネクタ１２ａ〜１２ｉは、演出制御基板１２の電子部品実装領域（表面）側の面に実装され（【０１１３】、図１８）、
　複数のコネクタ１２ａ〜１２ｄは演出制御基板１２の一方の端部に列をなすように配置され（図１８）、
　複数のコネクタ１２ｅ〜１２ｉは演出制御基板１２の他方の端部に列をなすように配置された（図１８）、」
との事項が導かれる。
　
　そして、上記記載事項ア〜オ、図面に記載された事項カ〜キ、及びア〜キに基づく認定事項ク〜サを総合すると、引用文献２には、次の事項（以下、「引用文献２記載の技術」という。）が記載されているといえる。
　
（引用文献２記載の技術）
ａ　遊技の進行を制御する遊技制御処理を実行する遊技制御用マイクロコンピュータが搭載された遊技制御基板とを備え（【請求項１】）、
　
ｂ　演出用の電気部品を制御する演出制御用マイクロコンピュータが搭載された演出制御基板とを備えた遊技機において（【請求項１】）、
　
ｃ　演出制御基板１２は、
ｃ１　複数のコネクタ１２ａ〜１２ｉが実装され（【０１１７】）、
ｃ３　全て内部が視認し得る非導電性の透明合成樹脂で形成されているボックス状主体１９０とカバー体２１０とを備えて構成される演出制御基板ボックスに収容され（【０１１３】）、
　
ｄ１　パチンコ遊技機１には、電源基板１０、音声制御基板１３、ランプ制御基板１４、中継基板１８が搭載され（【００５０】）、
　演出制御基板１２には、音声制御基板１３やランプ制御基板１４に制御信号を伝送する配線が接続され（【００６６】）、電源基板１０、中継基板１８、とも接続され（図３）、
　
ｄ２　複数のコネクタ１２ａ〜１２ｉは、演出制御基板１２の電子部品実装領域（表面）側の面に実装され（【０１１３】、図１８）、
　複数のコネクタ１２ａ〜１２ｄは演出制御基板１２の一方の端部に列をなすように配置され（図１８）、
　複数のコネクタ１２ｅ〜１２ｉは演出制御基板１２の他方の端部に列をなすように配置された（図１８）、
　
ｆ　パチンコ遊技機１（【００３０】）。
　
５　対比
　本願発明と引用発明とを、分説に従い対比する（対比の見出しとしての（ａ）〜（ｆ）は、引用発明の分説構成と対応させた。）。
　
（ａ）引用発明の構成ａの「遊技制御装置３０」は遊技の進行を制御するメイン制御装置としての装置であるから、遊技を統括的に制御するものであることは自明である。また、遊技制御装置３０が遊技制御基板を備えることもまた自明である。
　そうすると、引用発明における「遊技の進行を制御するメイン制御装置としての遊技制御装置３０」は、本願発明の「遊技を統括的に制御する遊技制御基板」に相当し、引用発明の構成ａは本願発明の構成Ａを備えているといえる。
　
（ｂ）引用発明の構成ｂの「遊技機」、「演出制御基板４３」は、それぞれ本願発明の構成Ｂの「遊技機」、「演出制御基板」に相当する。
　そして、引用発明の構成ｂにおける「演出制御基板４３」は、「スピーカ１６０からの効果音の出力制御、装飾ランプ・ＬＥＤ１６１の発光制御、可動部材用ＳＯＬ１４ａや回転部材用モータ１５ａの駆動制御等を行う第１演算処理装置４１」と、「第１演算処理装置４１から送信された表示制御に関する演出コマンドを受信して液晶表示装置５０を制御する第２演算処理装置４２」を搭載しているのだから、本願発明の構成Ｂの「遊技にかかる演出の制御を行う演出制御基板」に相当する。
　してみると、引用発明の構成ｂは本願発明の構成Ｂを備えているといえる。
　
（ｃ）（ｃ２）引用発明の構成ｃ２における「第１及び第２演算処理装置４１、４２間の通信データ」、「コネクタ４５」、「接続可能に構成」、「検査用接続領域４３ａ」は、それぞれ本願発明の「演出の制御に関する情報」、「検査用コネクタ」、「実装可能」、「実装領域」に相当する。
　そして、引用発明のコネクタ４５（検査用コネクタ）は、「検査時」に演出制御基板４３の検査用接続領域４３ａに接続して、「データ通信が適正に行われているか否かの確認を行う」のだから、引用発明において、遊技機外部の検査装置に出力する際にコネクタ４５（検査用コネクタ）に検査装置を接続することは、当然のことである。
（ちなみに、引用文献１の上記４（１）オ　の【０１０７】にも、コネクタを介した外部試験装置（図視略）でデータ通信テストをする旨が記載されている。）
　してみると、引用発明の構成ｃ、ｃ２は本願発明の構成Ｃ、Ｃ２を備えているといえる。
　
（ｃ）（ｃ３）引用発明の構成ｃ３の「透明な」、「収納され」は、本願発明の「透光性を有する」、「収納され」に相当する。
　また、引用発明の構成ｃ３の「収納部材４４」は、「第１蓋部材４４１と、・・・第２蓋部材４４２と」を備え、第１蓋部材４４１は及び第２蓋部材４４２は、それぞれ演出制御基板４３に向かって開口するように凹型に形成され、開口部を構成する先端縁部どうしを接合させる」ようにしたものであり、その構造からみて本願発明の「ボックス部材」に相当する。
　また、引用発明の構成ｃ３によれば、「遊技盤１の裏面側には、遊技盤裏面構成部材１１が設けられ、・・・演出制御装置４０がこの遊技盤裏面構成部材１１の略中央に取付け」られているのだから、引用発明の「演出制御装置４０」は、遊技機に取り付けられたものということができる。そして、引用発明の構成ｃ３の「演出制御装置４０」は、「演出制御基板４３が透明な収納部材４４に収納されてなる」ものなのだから、引用発明の「演出制御基板４３」（演出制御基板）は、所定のボックス部材に収納された状態で当該遊技機に取り付けられているものといえる。
　してみると、引用発明の構成ｃ、ｃ３は本願発明の構成Ｃ、Ｃ３を備えているといえる。
　
（ｄ２）引用発明の構成ｄ２の「演出制御基板４３の背面視にて手前側の面」は、本願発明の「演出制御基板が当該遊技機に取り付けられた状態において、該演出制御基板の視認可能な面」に相当する。
　
（ｅ）（ｅ１）引用発明の構成ｅ１の「演出制御基板４４の背面視にて手前側の面を構成する第１蓋部材４４１側の面」、「設けられ、」は、それぞれ本願発明の構成Ｅ１の「演出制御基板が当該遊技機に取り付けられた状態において、該演出制御基板の視認可能な面」「位置しており」に相当する。
　してみると、引用発明の構成ｅ、ｅ１の、
「検査用接続領域４３ａは、
演出制御基板４４の背面視にて手前側の面を構成する第１蓋部材４４１側の面に設けられ」
は、本願発明の構成Ｅ、Ｅ１と、
「前記実装領域は、
　前記演出制御基板が当該遊技機に取り付けられた状態において、該演出制御基板の視認可能な面に位置しており、」
との点で共通する。
　
（ｅ）（ｅ２）引用発明の構成ｅ２における「第１蓋部材４４１の検査用接続領域４３ａに対応する所定部位」は本願発明の「ボックス部材において、前記実装領域に対応する領域」に相当する。
　してみると、引用発明の構成ｅ、ｅ２は、本願発明の構成Ｅ、Ｅ２を備えているといえる。
　
（ｆ）引用発明の構成ｆにおける「遊技機」は本願発明の「遊技機」に相当する。引用発明の構成ｆは本願発明の構成Ｆを備えている。
　
　してみると、上記（ａ）〜（ｆ）によれば、本願発明と引用発明との一致点及び相違点は以下のとおりである。
　
（一致点）
「Ａ　遊技を統括的に制御する遊技制御基板と、
Ｂ　前記遊技にかかる演出の制御を行う演出制御基板と、を備えた遊技機において、
Ｃ　前記演出制御基板は、
Ｃ２　前記演出の制御に関する情報を当該遊技機外部の検査装置に出力する際に該検査装置と接続するための検査用コネクタを実装可能な実装領域と、を有し、
Ｃ３　透光性を有する所定のボックス部材に収納された状態で当該遊技機に取り付けられ、
Ｅ　前記実装領域は、
Ｅ１′前記演出制御基板が当該遊技機に取り付けられた状態において、該演出制御基板の視認可能な面に位置しており、
Ｅ２　前記ボックス部材において、前記実装領域に対応する領域には開口部を設けないようにした
Ｆ　遊技機。」
　
（相違点１）
　構成Ｃ、Ｃ１、Ｄ、Ｄ１、Ｄ２に関し、本願発明は、
「Ｃ　前記演出制御基板は、
Ｃ１　複数のコネクタと、
を有し、
Ｄ　前記複数のコネクタは、
Ｄ１　前記演出制御基板と、当該遊技機内部の他の基板と、を接続するためのコネクタで構成されるとともに、
Ｄ２　前記演出制御基板が当該遊技機に取り付けられた状態において、該演出制御基板の視認可能な面に列を形成するように配設され」ているのに対し、引用発明は、そのような複数のコネクタを有するか不明である点。
　
（相違点２）
　構成Ｅ、Ｅ１に関し、本願発明は、
「Ｅ　前記実装領域は、
Ｅ１　前記演出制御基板の端部に位置するとともに、前記演出制御基板が当該遊技機に取り付けられた状態において、該演出制御基板の視認可能な面のうちの前記列には含まれない箇所に位置して」いるのに対し、
　引用発明の実装領域は、「演出制御基板の端部に位置」するか定かでなく、また「前記演出制御基板が当該遊技機に取り付けられた状態において、該演出制御基板の視認可能な面のうちの前記列には含まれない箇所に位置」しているか不明である点。
　
６　判断
　上記相違点について検討する。
　
（１）相違点１について
　引用発明は「演出制御装置４０は、通信ケーブルＣを介して遊技制御装置３０が接続」（構成ｄ１）との構成を有しており、演出制御基板４０と遊技制御装置３０とを接続するために、コネクタを用いる必要があることは当業者にとって明らかである。
　一方、引用文献２には、
「ａ　遊技の進行を制御する遊技制御処理を実行する遊技制御用マイクロコンピュータが搭載された遊技制御基板とを備え、
ｂ　演出用の電気部品を制御する演出制御用マイクロコンピュータが搭載された演出制御基板とを備えた遊技機において、
ｃ　演出制御基板１２は、
ｃ１　複数のコネクタ１２ａ〜１２ｉが実装され、
ｃ３　全て内部が視認し得る非導電性の透明合成樹脂で形成されているボックス状主体１９０とカバー体２１０とを備えて構成される演出制御基板ボックスに収容され、
ｄ１　パチンコ遊技機１には、電源基板１０、音声制御基板１３、ランプ制御基板１４、中継基板１８が搭載され、
　演出制御基板１２には、音声制御基板１３やランプ制御基板１４に制御信号を伝送する配線が接続され、電源基板１０、中継基板１８、とも接続され、
ｄ２　複数のコネクタ１２ａ〜１２ｉは、演出制御基板１２の電子部品実装領域（表面）側の面に実装され、
　複数のコネクタ１２ａ〜１２ｄは演出制御基板１２の一方の端部に列をなすように配置され、
　複数のコネクタ１２ｅ〜１２ｉは演出制御基板１２の他方の端部に列をなすように配置された、
ｆ　パチンコ遊技機１
の技術が記載されている（引用文献２記載の技術参照）。
　そして、引用文献２記載の技術の「演出制御基板１２」、「複数のコネクタ１２ａ〜１２ｉ」、「電源基板１０、音声制御基板１３、ランプ制御基板１４、中継基板１８」が、それぞれ本願発明の「演出制御基板」、「複数のコネクタ」、「遊技機内部の他の基板」に相当し、さらに、引用文献２記載の技術の構成ｄ１によれば、演出制御基板１２が、「音声制御基板１３、ランプ制御基板１４、電源基板１０、中継基板１８」（遊技機内部の他の基板）と接続がなされることからして、引用文献２記載の技術の「複数のコネクタ１２ａ〜１２ｉ」が、演出制御基板と、「音声制御基板１３、ランプ制御基板１４、電源基板１０、中継基板１８」（遊技機内部の他の基板）と、を接続するためのコネクタであることは自明のことである。
　
　そうすると、引用文献２記載の技術によれば、
「演出制御基板（演出制御基板１２）が、
　複数のコネクタ（複数のコネクタ１２ａ〜１２ｉ）を有し、
　前記複数のコネクタ（複数のコネクタ１２ａ〜１２ｉ）が、
　前記演出制御基板（演出制御基板１２）と、当該遊技機内部の他の基板（音声制御基板１３、ランプ制御基板１４、電源基板１０、中継基板１８）と、を接続するためのコネクタで構成されるとともに、
　演出制御基板１２の電子部品実装領域（表面）側の面に列を形成するように配設される、
　パチンコ遊技機」
が、本願出願前において公知であるということができる。
　
　一方、引用発明と、引用文献２記載の技術がともに、透光性を有するボックス部材に収納され、電子部品が実装された演出制御基板を有する遊技機との点で共通することからすれば、引用発明の構成ｄ２における、演出制御基板４３の、第１演出処理装置４１および第２演出処理装置４２が実装された側の面である、演出制御基板４３の背面視にて手前側の面（本願発明の「演出制御基板が当該遊技機に取り付けられた状態において、該演出制御基板の視認可能な面」に相当）に対し、引用文献２記載の技術のコネクタを付加し、以て相違点１に係る構成とすることは、当業者にとって容易に想到することである。
　
（２）相違点２について
　引用発明の構成ｅ１によれば、検査用接続領域４３ａ（実装領域）は、演出制御基板の回路パターンの第１演算処理装置４１の第１ＣＰＵ４１ａと第２演算処理装置４２の第２ＣＰＵ４２ａの間に設けられるものであるから、回路パターン上に設けられた検査用接続領域４３ａ（実装領域）は、第１演算処理装置４１の第１ＣＰＵ４１ａと第２演算処理装置４２の第２ＣＰＵ４２ａを結ぶ線分の上に配置される必要はない。
　また、同構成ｅ１の、「抵抗対向凹部４４は、検査用接続領域４３ａに接続された抵抗４６と対向する部分であれば如何なる位置であっても良」いとする構成から、引用発明には、抵抗４６が実装される検査用接続領域４３ａもまた如何なる位置であっても良いことも示唆されている。
　
　そして、一般に基板上に電子部品や接続部等を実装するにあたり、限られた基板上のスペースを有効に使用して部品配置をすることが、当業者にとって当然であるところ、引用発明において、検査用接続領域４３ａ（実装領域）を基板上へ配置するにあたって同様にスペース効率等を考慮して配置を検討することもまた当業者が適宜なしうることであり、引用発明に引用文献２記載の技術を適用する場合においても、検査用接続領域（実装領域）を、演出制御基板の端部のコネクタ列は避けつつ、基板上のスペース活用を考慮して当該基板のうちコネクタ列のない別の端部に配置し、以て相違点２に係る構成とすることは、当業者が容易に想到することである。
　
　したがって、本願発明は、引用発明および引用文献２記載の技術に基づいて当業者が容易に想到し得たものである。
　
（３）　請求人の主張及び本願発明が奏する効果について 
　
　審判請求人は、当審の平成２９年１２月２８日付け拒絶理由に対し、平成３０年２月２６日付けで提出された意見書において、本願発明は「前記演出制御基板は、透光性を有する所定のボックス部材に収納された状態で当該遊技機に取り付けられ、前記実装領域は、前記演出制御基板の端部に位置するとともに、前記演出制御基板が当該遊技機に取り付けられた状態において、該演出制御基板の視認可能な面のうちの前記列には含まれない箇所に位置しており、前記ボックス部材において、前記実装領域に対応する領域には開口部を設けないようにした」という構成（構成（Ａ））について記載されていない旨を主張している。
　しかし、上記構成を含む本願発明が、引用発明および引用文献２記載の技術に基づいて当業者が容易に想到し得たものであることは、上記説示のとおりである。
　
　また、本願発明の作用効果は、当業者が引用発明及び引用文献２記載の技術から予測し得るものであって、格別のものということはできない。
　
７　むすび
　よって、本願発明は、引用発明および引用文献２記載の技術に基づいて当業者が容易に想到し得たものであるから、特許法第２９条第２項の規定により特許を受けることができない。
　
　したがって、本願は拒絶すべきものである。 
　
　よって、結論のとおり審決する。